(57)【要約】【課題】ピアスホールに重なる貫通孔を設けた装飾物の基材となる粘着シートを耳に貼り付ける際に、容易にピアスホールと貫通孔の位置を一致させることができるようにする。【解決手段】耳垂表面の少なくとも一部と、この部分に連なる耳輪の一部とに渡って貼り付けられる裏面に粘着層が形成されたシートからなる粘着シート体と、剥離シートとなる台紙とから構成される台紙付きの粘着シートにおいて、前記台紙が前記粘着シートを保持した状態で、前記粘着シートの耳垂表面に貼り付けられる位置に、想定されるピアスピンが通る大きさの貫通孔を、前記台紙と前記粘着シートを貫くように１以上形成し、さらに、前記台紙を、前記台紙の耳輪に貼り付けられる粘着シート部分を保持する部位である耳輪側保持部位からもっとも離れた前記貫通孔上もしくは当該貫通孔から前記耳輪側保持部位よりにおいて、切断線で切断する。【選択図】  図１
2011050540.tif 000002
【特許請求の範囲】
【請求項１】
耳垂表面の少なくとも一部と、この部分に連なる耳輪の一部とに渡って貼り付けられる裏面に粘着層が形成されたシートからなる粘着シート体と、
表面が前記粘着層に対して剥離容易に形成され、前記粘着シート体の粘着層を表面に貼り付けることで前記粘着シートを保持するシートからなる台紙とからなり、
前記台紙が前記粘着シートを保持した状態で、前記粘着シートの耳垂表面に貼り付けられる位置に、想定されるピアスピンが通る大きさの貫通孔が、前記台紙と前記粘着シートを貫くように１以上形成され、
前記台紙は、前記台紙の耳輪に貼り付けられる粘着シート部分を保持する部位である耳輪側保持部位からもっとも離れた前記貫通孔上もしくは当該貫通孔から前記耳輪側保持部位よりにおいて、前記台紙を分断する切断線で切断されているものである
耳装飾用台紙付き粘着シート。
【請求項２】
前記貫通孔は、２以上設けられるものである請求項１に記載の耳装飾用台紙付き粘着シート。
【請求項３】
前記切断線はすべての貫通孔よりも前記耳輪側保持部位よりに形成されるものである請求項１又は２に記載の耳装飾用台紙付き粘着シート。
【請求項４】
前記切断線はすべての貫通孔上を通るように形成されるものである請求項１又は２に記載の耳装飾用台紙付き粘着シート。
【請求項５】
前記粘着シート体は透明もしくは肌色である請求項１から４のいずれか１項に記載の耳装飾用台紙付き粘着シート。
【請求項６】
前記粘着シート表面には模様が描かれるものである請求項１から４のいずれか１項に記載の耳装飾用台紙付き粘着シート。
【請求項７】
前記粘着シート表面には立体的な装飾物が貼り付けられているものである請求項１から６のいずれか１項に記載の耳装飾用台紙付き粘着シート。
【発明の詳細な説明】
【技術分野】
【０００１】
本発明は装飾物を耳に貼り付けるための基材となる耳に貼り付ける粘着シートに関する。
【背景技術】
【０００２】
従来、耳を装飾するものとしては、ピアスやイヤリングがあるが、これに加えて、裏面に粘着層を設けたビーズなどの装飾物を直接耳に貼り付けることが考えられる。
しかし、粘着層を設けた装飾物などを直接耳に貼り付ける場合、耳の表面は平らでないことが多く、落下しやすいという問題がある。
これに対して、下記特許文献には、剥離シートに貼り付けた粘着シート上に複数の装飾物を貼り付け、これを耳垂などに貼り付けることが示されている。このように、粘着シートを基材とすることで、粘着面を広くすることができるため、耳に貼り付けても容易に脱落することがなく、基材表面は平らであるので、この上に貼り付けた装飾物も容易に脱落することはない。
【先行技術文献】
【特許文献】
【０００３】
【特許文献１】特開２００１−３７５１１号
【発明の概要】
【発明が解決しようとする課題】
【０００４】
ところで、このような装飾物の基材となるシートを耳に貼り付ける場合、耳にピアスホールが開いていると、これを塞いでしまう恐れがある。したがって、ピアスと併用するためには、ピアスが設けられる耳垂から離れた位置に粘着シート貼る必要が生じるが、この場合、面積の広い耳垂を避けるために粘着力が低下してしまうという問題が生じる。
これを解決する方法として、粘着シートにピアスホールと重なるように貫通孔を開けることが考えられるが、粘着シートに設けられた貫通孔をピアスホールの位置に合わせて貼り付けることは極めて困難である。
本発明は、以上のような問題に鑑みて、ピアスホールに重なる貫通孔を設けた装飾物の基材となる粘着シートを耳に貼り付ける際に、容易にピアスホールと貫通孔の位置を一致させることができるようにすることを課題とする。
【課題を解決するための手段】
【０００５】
上記課題を解決するために、本発明は次のような構成を有する。
請求項１に記載の発明は、耳垂表面の少なくとも一部と、この部分に連なる耳輪の一部とに渡って貼り付けられる裏面に粘着層が形成されたシートからなる粘着シート体と、表面が前記粘着層に対して剥離容易に形成され、前記粘着シート体の粘着層を表面に貼り付けることで前記粘着シートを保持するシートからなる台紙とからなる耳装飾用台紙付き粘着シートである。そして、前記台紙が前記粘着シートを保持した状態で、前記粘着シートの耳垂表面に貼り付けられる位置に、想定されるピアスピンが通る大きさの貫通孔が、前記台紙と前記粘着シートを貫くように１以上形成され、さらに、前記台紙は、前記台紙の耳輪に貼り付けられる粘着シート部分を保持する部位である耳輪側保持部位からもっとも離れた前記貫通孔上もしくは当該貫通孔から前記耳輪側保持部位よりにおいて、前記台紙を分断する切断線で切断されているものである。
【０００６】
請求項２に記載の発明は、前記耳装飾用台紙付き粘着シートにおいて、前記貫通孔が、２以上設けられるものである。
請求項３に記載の発明は、前記耳装飾用台紙付き粘着シートにおいて、前記切断線はすべての貫通孔よりも前記耳輪側保持部位よりに形成されるものである。
請求項４に記載の発明は、請求項１又は２に記載の耳装飾用台紙付き粘着シートにおいて、前記切断線はすべての貫通孔上を通るように形成されるものである。
請求項５に記載の発明は、前記耳装飾用台紙付き粘着シートにおいて、前記粘着シート体を透明もしくは肌色としたものである。
請求項６に記載の発明は、前記耳装飾用台紙付き粘着シートにおいて、前記粘着シート表面に模様が描かれたものである。
請求項７に記載の発明は、前記耳装飾用台紙付き粘着シートにおいて、前記粘着シート表面には立体的な装飾物が貼り付けられているものである。
【発明の効果】
【０００７】
上記のような構成により本願発明は次のような効果を奏する。
請求項１に記載の発明は、まず貼りついた状態の粘着シート体と台紙とに設けられる貫通孔をピアスホールに合わせて、貫通孔とピアスホールにピアスを通して固定する。この状態で、分断している台紙の内、耳輪側の台紙を粘着シート体から剥がし、粘着層が表出した粘着シート体の耳輪側部分を耳輪に貼り付ける。次に、耳垂側の台紙を粘着シート体から剥がして、粘着層が表出した粘着シート体の耳垂側部分を耳垂に貼り付ける。なお、耳垂側の台紙がピアスによって剥がすことができない場合は、一端ピアスを取り外して耳垂側の台紙を剥がすこととなる。この場合は、粘着シートの耳垂側部分を耳垂に貼り付けると、耳輪側に貼り付けられた粘着シート部分によりすでに位置決めがなされているので、ピアスホールの位置と貫通孔の位置が一致し、ピアスを再び貫通孔とピアスホールに通して固定することができる。そして、粘着シート体の表面に、装飾物を耳に貼り付けから固定するか、予め固定しておくことで、耳に装飾物を貼り付けることが可能となる。
以上のように、請求項１に記載の発明は、粘着することがない台紙に貼りついた状態で貫通孔とピアスホールの位置を合わせてピアスで固定し、台紙を特定の位置で分断しておくことで、この位置合わせを保持した状態で、台紙を片方ずつ剥がして、片側ずつ粘着シートを貼り付けることで、粘着シートの貫通孔をピアスホールの位置にあわせた状態で貼り付けることができる。
【０００８】
請求項２に記載の発明は、貫通孔を複数設けることで、通常、個々人で異なる位置に空けられたピアスホールに対して、最も合わせやすい貫通孔を選択できるようにすることができ、個々人のピアスホールの位置に対応して、粘着シート体を適切な位置に固定できるようにすることができる。
請求項３に記載の発明は、台紙の切断線をすべての貫通孔よりも耳輪側保持部位よりとすることで、貫通孔の配置に制約が少なくなり、柔軟に貫通孔を配置することができる。
請求項４に記載の発明は、台紙の切断線をすべての貫通孔の中心を通るように形成することで、どの貫通孔にピアスを通しても、ピアスを取り外すことなく、耳垂側の台紙を取り外すことができる。
請求項５に記載の発明は、粘着シート体を透明もしくは肌色とすることで、粘着シート体を目立たなくすることができる。
請求項６に記載の発明は、粘着シート体に模様を描くことで、粘着シート体表面に貼り付けられる装飾物とあいまって、耳を装飾することができる。
請求項７に記載の発明は、粘着シート体に予め装飾物を貼り付けておくことで、使用者が自ら装飾物を貼り付ける手間をなくし、簡易に耳に装飾物を貼り付けることができる。
【図面の簡単な説明】
【０００９】
【図１】（ａ）は実施形態１に係る耳装飾用台紙付き粘着シートの斜視図であり、（ｂ）は当該耳装飾用台紙付き粘着シートの分解斜視図である。
【図２】（ａ）〜（ｄ）は実施形態１に係る耳装飾用台紙付き粘着シートの使用方法の手順を示す図である。
【図３】（ｅ）〜（ｈ）は実施形態１に係る耳装飾用台紙付き粘着シートの使用方法の図２からの手順の続きを示す図である。
【図４】（ａ）は実施形態２に係る耳装飾用台紙付き粘着シートの斜視図であり、（ｂ）は当該耳装飾用台紙付き粘着シートの分解斜視図である。
【図５】（ａ）〜（ｄ）は実施形態２に係る耳装飾用台紙付き粘着シートの使用方法の手順を示す図である。
【図６】（ｅ）〜（ｇ）は実施形態２に係る耳装飾用台紙付き粘着シートの使用方法の図２からの手順の続きを示す図である。
【発明を実施するための形態】
【００１０】
以下、本発明の実施の形態について、図面を参照しながら説明する。
（実施例１）
図１（ａ）に本実施形態に係る耳装飾用台紙付き粘着シートＸの斜視図を示し、図１（ｂ）に耳装飾用台紙付き粘着シートＸの分解斜視図を示す。耳装飾用台紙付き粘着シートＸは、粘着シート体１０と台紙２０とから構成される。
粘着シート体１０は、やや長い半円形状の耳垂粘着部分１１と、先端に向かって細くなる湾曲した形状の耳輪粘着部分１２とを有する裏面に粘着層が形成されたシート体である。耳垂粘着部分１１は耳の耳垂部分の形状に近い形状を有し、耳輪粘着部分１２は耳垂の端部からこれに連なる耳輪の一部の形状に近い形状を有する。また、耳垂粘着部分１１には、５つの貫通孔１３が設けられる。貫通孔１３は、一般的なピアスピンが通る程度の大きさに設定される。
【００１１】
台紙２０は、前記粘着シート体１０の粘着層に対して表面が剥離容易に形成された剥離シートであり、粘着シート体１０とほぼ同じ形状に形成され、粘着シート１０に重なって、これを貼り付け、保持する。台紙２０の粘着シート１０の貫通孔１３に重なる位置には、貫通孔２３が設けられる。また、台紙２０は、粘着シート１０の耳垂粘着部分１１に貼り付けられる耳垂側保持部分２１と、粘着シート１０の耳輪粘着部分１２に貼り付けられる耳輪側保持部分２２とに分断されている。即ち、台紙２０は、すべての貫通孔２３よりも耳輪側保持部分２２よりに設けられる切断線２０ａにより、耳垂側保持部位２１と耳輪側保持部位２２に切断されている。
【００１２】
次に、以上のような構成を有する耳装飾用台紙付き粘着シートＸの使用方法について説明する。まず、図２（ａ）に示すように、耳装飾用台紙付き粘着シートＸを、台紙２０を付けたまま、耳Ｙ上で粘着シート体１０を貼り付けるおおよその位置を決め、この位置において、耳ＹのピアスホールＨの位置と最も近い貫通孔１３（２３）を選択し、当該貫通孔１３（２３）とピアスホールＨとの位置とが合うように耳装飾用台紙付き粘着シートＸを動かす。この位置が、粘着シート体１０を貼り付ける位置となるので、この状態で、合わせた貫通孔１２（２３）とピアスホールＨとを通るようにピアスＰを通して固定する。これにより、図２（ｂ）のような状態となる。
【００１３】
この状態で、図２（ｃ）に示すように台紙２０の耳輪側保持部分２２を粘着シート１０から剥がし、耳輪側保持部分２２が貼り付けられていた粘着シート１０の耳輪粘着部１２を図２（ｄ）に示すように耳輪ＹＲの下端に貼り付ける。この状態で粘着シート１０は、位置決めされた位置に固定されるので、次に、ピアスＰを一端取り外し、図２（ｅ）に示すように、耳垂側保持部分２１を粘着シート１０から剥がし、耳垂側保持部分２１が貼り付けられていた粘着シート１０の耳垂粘着部１１を図２（ｆ）に示すように耳垂ＹＳに貼り付ける。この際、粘着シート１０の位置は、耳輪粘着部１２が固定されていることで動かないので、貫通孔１３の位置とピアスホールＨの位置はずれることがない。その後、図３（ｇ）に示すように、再びピアスＰを貫通孔１３とピアスホールＨに通して固定する。以上の手順により、貫通孔１３にピアスを通して固定した状態で粘着シート１０を耳Ｙに固定できたので、図３（ｈ）に示すように、さらに、粘着シート１０に装飾物Ｊを貼り付け耳への装飾が完了する。
【００１４】
（実施形態２）
図４（ａ）に本実施形態に係る耳装飾用台紙付き粘着シートＸ２の斜視図を示し、図４（ｂ）に耳装飾用台紙付き粘着シートＸ２の分解斜視図を示す。耳装飾用台紙付き粘着シートＸ２は、粘着シート体３０と台紙４０とから構成される。
実施形態２に係る耳装飾用台紙付き粘着シートＸ２と実施形態１に係る耳装飾用台紙付き粘着シートＸとの相違点は、台紙の切断線４０ａの位置が耳垂側保持部分方向に移動し、粘着シート３０及び台紙４０に設けられる貫通孔３３、４３が切断線上に３つのみ設けられる点である。これにより、図４（ｂ）に示すように台紙４０の切断線において貫通孔４３は分断することになる。なお、実施形態１に係る耳装飾用台紙付き粘着シートＸと同様に、粘着シート体３０は耳垂粘着部分３１、耳輪粘着部分３２、貫通孔３３を有し、台紙４０は、耳垂側保持部分４１、耳輪側保持部分４２、貫通孔４３を有する。ここで、台紙の耳垂側保持部分４１、耳輪側保持部分４２は、耳垂粘着部分３１、耳輪粘着部分３２の位置とずれることになるが、切断線４０ａにより分断されるそれぞれの部分を指すものとする。
【００１５】
次に、以上のような構成を有する耳装飾用台紙付き粘着シートＸ２の使用方法について説明する。まず、図５（ａ）に示すように、耳装飾用台紙付き粘着シートＸ２を、台紙４０を付けたまま、耳Ｙ上で粘着シート体３０を貼り付けるおおよその位置を決め、この位置において、耳ＹのピアスホールＨの位置と最も近い貫通孔３３（４３）を選択し、当該貫通孔３３（４３）とピアスホールＨとの位置とが合うように耳装飾用台紙付き粘着シートＸ２を動かす。この位置が、粘着シート体３０を貼り付ける位置となるので、この状態で、合わせた貫通孔３２（４３）とピアスホールＨとを通るようにピアスＰを通して固定する。これにより、図５（ｂ）のような状態となる。
この状態で、図５（ｃ）に示すように台紙４０の耳輪側保持部分４２を粘着シート３０から剥がし、耳輪側保持部分４２が貼り付けられていた粘着シート３０の耳輪粘着部３２と耳垂粘着部３１の一部を図５（ｄ）に示すように耳輪ＹＲの下端に貼り付ける。次に、台紙４０の残っている耳垂側保持部分４１を剥がすことになるが、耳装飾用台紙付き粘着シートＸ２では、台紙４０の貫通孔４３は切断線４０ａで分離するようになっているので、図６（ｅ）に示すようにピアスＰを取り外すことなく、台紙４０の耳垂側保持部分４１を粘着シート３０から剥がすことができる。その後、耳垂側保持部分４１が貼り付けられていた粘着シート３０の耳垂粘着部３１を図６（ｆ）に示すように耳垂ＹＳに貼り付ける。以上の手順により、貫通孔３３にピアスを通して固定した状態で粘着シート３０を耳Ｙに固定できたので、図６（ｈ）に示すように、さらに、粘着シート３０に装飾物Ｊを貼り付け耳への装飾が完了する。
【００１６】
なお、上記の使用方法の説明では、装飾物Ｊを粘着シート１０（３０）を耳Ｙに貼り付けてから、粘着シート１０（３０）上に貼り付けたが、耳Ｙに貼り付ける前に予め、粘着シート１０（３０）上に装飾物Ｊを貼り付けておき、その後、粘着シート１０（３０）を上述の手順で貼り付けるようにしてもよい。
また、粘着シート１０（３０）は、多くの場合、目立たないように透明もしくは肌色のシートが用いられるが、粘着シート１０（３０）部分も耳を装飾するものとして、粘着シート１０の表面に模様を予め印刷するようにしておいてもよい。
【符号の説明】
【００１７】
Ｘ、Ｘ２  耳装飾用台紙付き粘着シート
１０、３０  粘着シート体
１１、３１  耳垂粘着部分
１２、３２  耳輪粘着部分
１３、３３  貫通孔
２０、４０  台紙
２０ａ、４０ａ  切断線
２１、４１  耳垂側保持部分
２２、４２  耳輪側保持部分
２３、４３  貫通孔
【図１】
2011050540.tif 000003
【図２】
2011050540.tif 000004
【図３】
2011050540.tif 000005
【図４】
2011050540.tif 000006
【図５】
2011050540.tif 000007
【図６】
2011050540.tif 000008
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
耳垂表面の少なくとも一部と、この部分に連なる耳輪の一部とに渡って貼り付けられる裏面に粘着層が形成されたシートからなる粘着シート体と、
表面が前記粘着層に対して剥離容易に形成され、前記粘着シート体の粘着層を表面に貼り付けることで前記粘着シート体を保持するシートからなる台紙とからなり、
前記台紙が前記粘着シート体を保持した状態で、前記粘着シート体の耳垂表面に貼り付けられる位置に、想定されるピアスピンが通る大きさの貫通孔が、前記台紙と前記粘着シート体を貫くように１以上形成され、
前記台紙は、前記台紙の耳輪に貼り付けられる粘着シート体部分を保持する部分である耳輪側保持部分からもっとも離れた前記貫通孔上もしくは当該貫通孔から前記台紙の耳垂に貼り付けられる粘着シート体部分を保持する部分である耳垂側保持部分と前記耳輪側保持部分との境界に至るまでの間において、前記台紙を分断する切断線で切断されているものである
耳装飾用台紙付き粘着シート。
【請求項２】
前記貫通孔は、２以上設けられるものである請求項１に記載の耳装飾用台紙付き粘着シート。
【請求項３】
前記切断線はすべての貫通孔よりも前記耳輪側保持部分よりに形成されるものである請求項１又は２に記載の耳装飾用台紙付き粘着シート。
【請求項４】
前記切断線はすべての貫通孔上を通るように形成されるものである請求項１又は２に記載の耳装飾用台紙付き粘着シート。
【請求項５】
前記粘着シート体は透明もしくは肌色である請求項１から４のいずれか１項に記載の耳装飾用台紙付き粘着シート。
【請求項６】
前記粘着シート体表面には模様が描かれるものである請求項１から４のいずれか１項に記載の耳装飾用台紙付き粘着シート。
【請求項７】
前記粘着シート体表面には立体的な装飾物が貼り付けられているものである請求項１から６のいずれか１項に記載の耳装飾用台紙付き粘着シート。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、耳垂表面の少なくとも一部と、この部分に連なる耳輪の一部とに渡って貼り付けられる裏面に粘着層が形成されたシートからなる粘着シート体と、表面が前記粘着層に対して剥離容易に形成され、前記粘着シート体の粘着層を表面に貼り付けることで前記粘着シート体を保持するシートからなる台紙とからなる耳装飾用台紙付き粘着シートである。そして、前記台紙が前記粘着シート体を保持した状態で、前記粘着シート体の耳垂表面に貼り付けられる位置に、想定されるピアスピンが通る大きさの貫通孔が、前記台紙と前記粘着シート体を貫くように１以上形成され、さらに、前記台紙は、前記台紙の耳輪に貼り付けられる粘着シート体部分を保持する部位である耳輪側保持部分からもっとも離れた前記貫通孔上もしくは当該貫通孔から前記台紙の耳垂に貼り付けられる粘着シート体部分を保持する部分である耳垂側保持部分と前記耳輪側保持部分との境界に至るまでの間において、前記台紙を分断する切断線で切断されているものである。
【手続補正３】
【補正対象書類名】明細書
【補正対象項目名】０００６
【補正方法】変更
【補正の内容】
【０００６】
請求項２に記載の発明は、前記耳装飾用台紙付き粘着シートにおいて、前記貫通孔が、２以上設けられるものである。
請求項３に記載の発明は、前記耳装飾用台紙付き粘着シートにおいて、前記切断線はすべての貫通孔よりも前記耳輪側保持部分よりに形成されるものである。
請求項４に記載の発明は、請求項１又は２に記載の耳装飾用台紙付き粘着シートにおいて、前記切断線はすべての貫通孔上を通るように形成されるものである。
請求項５に記載の発明は、前記耳装飾用台紙付き粘着シートにおいて、前記粘着シート体を透明もしくは肌色としたものである。
請求項６に記載の発明は、前記耳装飾用台紙付き粘着シートにおいて、前記粘着シート体表面に模様が描かれたものである。
請求項７に記載の発明は、前記耳装飾用台紙付き粘着シートにおいて、前記粘着シート体表面には立体的な装飾物が貼り付けられているものである。
【手続補正４】
【補正対象書類名】明細書
【補正対象項目名】０００７
【補正方法】変更
【補正の内容】
【０００７】
上記のような構成により本願発明は次のような効果を奏する。
請求項１に記載の発明は、まず貼りついた状態の粘着シート体と台紙とに設けられる貫通孔をピアスホールに合わせて、貫通孔とピアスホールにピアスを通して固定する。この状態で、分断している台紙の内、耳輪側の台紙を粘着シート体から剥がし、粘着層が表出した粘着シート体の耳輪側部分を耳輪に貼り付ける。次に、耳垂側の台紙を粘着シート体から剥がして、粘着層が表出した粘着シート体の耳垂側部分を耳垂に貼り付ける。なお、耳垂側の台紙がピアスによって剥がすことができない場合は、一旦ピアスを取り外して耳垂側の台紙を剥がすこととなる。この場合は、粘着シート体の耳垂側部分を耳垂に貼り付けると、耳輪側に貼り付けられた粘着シート体部分によりすでに位置決めがなされているので、ピアスホールの位置と貫通孔の位置が一致し、ピアスを再び貫通孔とピアスホールに通して固定することができる。そして、粘着シート体の表面に、装飾物を耳に貼り付けから固定するか、予め固定しておくことで、耳に装飾物を貼り付けることが可能となる。
以上のように、請求項１に記載の発明は、粘着することがない台紙に貼りついた状態で貫通孔とピアスホールの位置を合わせてピアスで固定し、台紙を特定の位置で分断しておくことで、この位置合わせを保持した状態で、台紙を片方ずつ剥がして、片側ずつ粘着シート体を貼り付けることで、粘着シート体の貫通孔をピアスホールの位置にあわせた状態で貼り付けることができる。
【手続補正５】
【補正対象書類名】明細書
【補正対象項目名】００１１
【補正方法】変更
【補正の内容】
【００１１】
台紙２０は、前記粘着シート体１０の粘着層に対して表面が剥離容易に形成された剥離シートであり、粘着シート体１０とほぼ同じ形状に形成され、粘着シート体１０に重なって、これを貼り付け、保持する。台紙２０の粘着シート体１０の貫通孔１３に重なる位置には、貫通孔２３が設けられる。また、台紙２０は、粘着シート体１０の耳垂粘着部分１１に貼り付けられる耳垂側保持部分２１と、粘着シート体１０の耳輪粘着部分１２に貼り付けられる耳輪側保持部分２２とに分断されている。即ち、台紙２０は、すべての貫通孔２３よりも耳輪側保持部分２２よりに設けられる切断線２０ａにより、耳垂側保持部分２１と耳輪側保持部分２２に切断されている。
【手続補正６】
【補正対象書類名】明細書
【補正対象項目名】００１３
【補正方法】変更
【補正の内容】
【００１３】
この状態で、図２（ｃ）に示すように台紙２０の耳輪側保持部分２２を粘着シート体１０から剥がし、耳輪側保持部分２２が貼り付けられていた粘着シート体１０の耳輪粘着部１２を図２（ｄ）に示すように耳輪ＹＲの下端に貼り付ける。この状態で粘着シート体１０は、位置決めされた位置に固定されるので、次に、ピアスＰを一端取り外し、図２（ｅ）に示すように、耳垂側保持部分２１を粘着シート体１０から剥がし、耳垂側保持部分２１が貼り付けられていた粘着シート体１０の耳垂粘着部１１を図２（ｆ）に示すように耳垂ＹＳに貼り付ける。この際、粘着シート体１０の位置は、耳輪粘着部１２が固定されていることで動かないので、貫通孔１３の位置とピアスホールＨの位置はずれることがない。その後、図３（ｇ）に示すように、再びピアスＰを貫通孔１３とピアスホールＨに通して固定する。以上の手順により、貫通孔１３にピアスを通して固定した状態で粘着シート体１０を耳Ｙに固定できたので、図３（ｈ）に示すように、さらに、粘着シート体１０に装飾物Ｊを貼り付け耳への装飾が完了する。
【手続補正７】
【補正対象書類名】明細書
【補正対象項目名】００１４
【補正方法】変更
【補正の内容】
【００１４】
（実施形態２）
図４（ａ）に本実施形態に係る耳装飾用台紙付き粘着シートＸ２の斜視図を示し、図４（ｂ）に耳装飾用台紙付き粘着シートＸ２の分解斜視図を示す。耳装飾用台紙付き粘着シートＸ２は、粘着シート体３０と台紙４０とから構成される。
実施形態２に係る耳装飾用台紙付き粘着シートＸ２と実施形態１に係る耳装飾用台紙付き粘着シートＸとの相違点は、台紙の切断線４０ａの位置が耳垂側保持部分方向に移動し、粘着シート体３０及び台紙４０に設けられる貫通孔３３、４３が切断線上に３つのみ設けられる点である。これにより、図４（ｂ）に示すように台紙４０の切断線において貫通孔４３は分断することになる。なお、実施形態１に係る耳装飾用台紙付き粘着シートＸと同様に、粘着シート体３０は耳垂粘着部分３１、耳輪粘着部分３２、貫通孔３３を有し、台紙４０は、耳垂側保持部分４１、耳輪側保持部分４２、貫通孔４３を有する。ここで、台紙の耳垂側保持部分４１、耳輪側保持部分４２は、耳垂粘着部分３１、耳輪粘着部分３２の位置とずれることになるが、切断線４０ａにより分断されるそれぞれの部分を指すものとする。
【手続補正８】
【補正対象書類名】明細書
【補正対象項目名】００１５
【補正方法】変更
【補正の内容】
【００１５】
次に、以上のような構成を有する耳装飾用台紙付き粘着シートＸ２の使用方法について説明する。まず、図５（ａ）に示すように、耳装飾用台紙付き粘着シートＸ２を、台紙４０を付けたまま、耳Ｙ上で粘着シート体３０を貼り付けるおおよその位置を決め、この位置において、耳ＹのピアスホールＨの位置と最も近い貫通孔３３（４３）を選択し、当該貫通孔３３（４３）とピアスホールＨとの位置とが合うように耳装飾用台紙付き粘着シートＸ２を動かす。この位置が、粘着シート体３０を貼り付ける位置となるので、この状態で、合わせた貫通孔３２（４３）とピアスホールＨとを通るようにピアスＰを通して固定する。これにより、図５（ｂ）のような状態となる。
この状態で、図５（ｃ）に示すように台紙４０の耳輪側保持部分４２を粘着シート体３０から剥がし、耳輪側保持部分４２が貼り付けられていた粘着シート体３０の耳輪粘着部３２と耳垂粘着部３１の一部を図５（ｄ）に示すように耳輪ＹＲの下端に貼り付ける。次に、台紙４０の残っている耳垂側保持部分４１を剥がすことになるが、耳装飾用台紙付き粘着シートＸ２では、台紙４０の貫通孔４３は切断線４０ａで分離するようになっているので、図６（ｅ）に示すようにピアスＰを取り外すことなく、台紙４０の耳垂側保持部分４１を粘着シート体３０から剥がすことができる。その後、耳垂側保持部分４１が貼り付けられていた粘着シート体３０の耳垂粘着部３１を図６（ｆ）に示すように耳垂ＹＳに貼り付ける。以上の手順により、貫通孔３３にピアスを通して固定した状態で粘着シート体３０を耳Ｙに固定できたので、図６（ｈ）に示すように、さらに、粘着シート体３０に装飾物Ｊを貼り付け耳への装飾が完了する。
【手続補正９】
【補正対象書類名】明細書
【補正対象項目名】００１６
【補正方法】変更
【補正の内容】
【００１６】
なお、上記の使用方法の説明では、装飾物Ｊを粘着シート体１０（３０）を耳Ｙに貼り付けてから、粘着シート体１０（３０）上に貼り付けたが、耳Ｙに貼り付ける前に予め、粘着シート体１０（３０）上に装飾物Ｊを貼り付けておき、その後、粘着シート体１０（３０）を上述の手順で貼り付けるようにしてもよい。
また、粘着シート体１０（３０）は、多くの場合、目立たないように透明もしくは肌色のシートが用いられるが、粘着シート体１０（３０）部分も耳を装飾するものとして、粘着シート体１０の表面に模様を予め印刷するようにしておいてもよい。
【手続補正１０】
【補正対象書類名】図面
【補正対象項目名】図２
【補正方法】変更
【補正の内容】
【図２】
2011050540.tif 000009
【手続補正１１】
【補正対象書類名】図面
【補正対象項目名】図３
【補正方法】変更
【補正の内容】
【図３】
2011050540.tif 000010
【手続補正１２】
【補正対象書類名】図面
【補正対象項目名】図５
【補正方法】変更
【補正の内容】
【図５】
2011050540.tif 000011
【手続補正１３】
【補正対象書類名】図面
【補正対象項目名】図６
【補正方法】変更
【補正の内容】
【図６】
2011050540.tif 000012
【手続補正書】
【提出日】平成22年4月12日(2010.4.12)
【手続補正１】
【補正対象書類名】特許請求の範囲
【補正対象項目名】請求項１
【補正方法】変更
【補正の内容】
【請求項１】
耳垂表面の少なくとも一部と、この部分に連なる耳輪の一部とに渡って貼り付けられる裏面に粘着層が形成されたシートからなる粘着シート体と、
表面が前記粘着層に対して剥離容易に形成され、前記粘着シート体の粘着層を表面に貼り付けることで前記粘着シート体を保持するシートからなる台紙とからなり、
前記台紙が前記粘着シート体を保持した状態で、前記粘着シート体の耳垂表面に貼り付けられる位置に、想定されるピアスピンが通る大きさの貫通孔が、前記台紙と前記粘着シート体を貫くように１以上形成され、
前記台紙は、前記台紙の耳輪に貼り付けられる粘着シート体部分を保持する部分である耳輪側保持部分からもっとも離れた前記貫通孔上もしくは当該貫通孔から前記耳輪側保持部分よりにおいて、前記台紙を分断する切断線で切断されているものである
耳装飾用台紙付き粘着シート。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、耳垂表面の少なくとも一部と、この部分に連なる耳輪の一部とに渡って貼り付けられる裏面に粘着層が形成されたシートからなる粘着シート体と、表面が前記粘着層に対して剥離容易に形成され、前記粘着シート体の粘着層を表面に貼り付けることで前記粘着シート体を保持するシートからなる台紙とからなる耳装飾用台紙付き粘着シートである。そして、前記台紙が前記粘着シート体を保持した状態で、前記粘着シート体の耳垂表面に貼り付けられる位置に、想定されるピアスピンが通る大きさの貫通孔が、前記台紙と前記粘着シート体を貫くように１以上形成され、さらに、前記台紙は、前記台紙の耳輪に貼り付けられる粘着シート体部分を保持する部位である耳輪側保持部分からもっとも離れた前記貫通孔上もしくは当該貫通孔から前記耳輪側保持部分よりにおいて、前記台紙を分断する切断線で切断されているものである。